(57)【要約】【課題】  過去及び運転当日の特定時間帯の負荷状態を利用して風呂の湯張りをある程度正確に予測することができるコージェネレーションシステムを提供すること。【解決手段】  電力と熱を発生する熱電併給装置２と、熱電併給装置２からの熱を温水として貯湯する貯湯装置と、熱電併給装置を運転制御するための制御手段３４と、を備えたコージェネレーションシステム。制御手段３４は、風呂湯張りの有無を判定するための予測湯張り判定手段４４と、予測湯張り判定手段４４の湯張りの有無判定に基づいて運転スケジュールを設定するための運転スケジュール設定手段４６とを有し、予測湯張り判定手段４４は、過去の特定時間帯における負荷状態に対応した湯張り有無確率を演算するための湯張り確率演算手段５８と、運転当日の特定時間帯の負荷状態に対応する、過去の負荷状態における湯張り有無確率に基づいて湯張りの有無を予測判定する予測判定手段６０とを含む。【選択図】  図２
2006322679.tif 000002
【特許請求の範囲】
【請求項１】
電力と熱を発生する熱電併給装置と、前記熱電併給装置からの熱を温水として貯湯するための貯湯装置と、前記熱電併給装置を運転制御するための制御手段と、を備えたコージェネレーションシステムであって、
前記制御手段は、運転当日の風呂湯張りの有無を判定するための予測湯張り判定手段を有し、前記予測湯張り判定手段は、過去の特定時間帯の負荷状態と風呂湯張りの有無との関係に基づいて負荷状態に対応した湯張り有無確率を演算するための湯張り確率演算手段と、運転当日の特定時間帯の負荷状態に対応する、過去の特定時間帯の負荷状態における前記湯張り有無確率に基づいて、運転当日の湯張りの有無を予測判定する予測判定手段と、を含んでいることを特徴とするコージェネレーションシステム。
【請求項２】
前記湯張り確率演算手段は、過去の一日の複数の特定時間帯の負荷状態と風呂湯張りの有無との関係に基づいて、前記複数の特定時間帯の負荷状態に対応した湯張り有無確率を演算し、前記予測判定手段は、運転当日の複数の特定時間帯の負荷状態に対応する、過去の複数の特定時間帯の負荷状態における前記湯張り有無確率に基づいて、運転当日の湯張りの有無を予測判定することを特徴とする請求項１に記載のコージェネレーションシステム。
【請求項３】
電力と熱を発生する熱電併給装置と、前記熱電併給装置からの熱を温水として貯湯するための貯湯装置と、前記熱電併給装置を運転制御するための制御手段と、を備えたコージェネレーションシステムであって、
前記制御手段は、風呂湯張りの有無を判定するための予測湯張り判定手段を有し、前記予測湯張り判定手段は、過去の負荷状態に対応した湯張り有無確率を演算するための湯張り確率演算手段と、現在の負荷状態に対応する、過去の負荷状態における前記湯張り有無確率に基づいて、湯張りの有無を予測判定する予測判定手段と、を含んでいることを特徴とするコージェネレーションシステム。
【請求項４】
前記湯張り確率演算手段は、一日を複数に分割した複数の時間帯を利用し、過去の連続する特定数の時間帯についての負荷状態に対応した湯張り有無確率を演算し、前記予測判定手段は、直近の特定数の時間帯の負荷状態に対応する、過去の連続する特定数の時間帯についての負荷状態における前記湯張り有無確率に基づいて、続く次の時間帯における湯張りの有無を予測判定することを特徴とする請求項３に記載のコージェネレーションシステム。
【請求項５】
電力と熱を発生する熱電併給装置と、前記熱電併給装置からの熱を温水として貯湯するための貯湯装置と、前記熱電併給装置を運転制御するための制御手段と、を備えたコージェネレーションシステムであって、
前記制御手段は、運転当日の風呂湯張り有無の確率を演算するための湯張り確率演算手段と、運転当日の湯張り有無確率を設定するための湯張り確率設定手段とを有し、前記湯張り確率演算手段は、過去の特定時間帯の負荷状態と風呂湯張りの有無との関係に基づいて負荷状態に対応した湯張り有無確率を演算し、前記湯張り確率設定手段は、運転当日の特定時間帯の負荷状態に対応する、過去の特定時間帯の負荷状態における前記湯張り有無確率を運転当日の湯張り有無確率として設定することを特徴とするコージェネレーションシステム。
【請求項６】
電力と熱を発生する熱電併給装置と、前記熱電併給装置からの熱を温水として貯湯するための貯湯装置と、前記熱電併給装置を運転制御するための制御手段と、を備えたコージェネレーションシステムであって、
前記制御手段は、風呂湯張りの有無の確率を演算するための湯張り確率演算手段と、運転湯張り有無確率を設定するための湯張り確率設定手段とを有し、前記湯張り確率演算手段は、一日を複数に分割した複数の時間帯を利用し、過去の連続する特定数の時間帯についての負荷状態に対応した湯張り有無確率を演算し、前記湯張り確率設定手段は、直近の特定数の時間帯の負荷状態に対応する、過去の連続する特定数の時間帯についての負荷状態における前記湯張り有無確率を前記運転湯張り有無確率として設定することを特徴とするコージェネレーションシステム。
【発明の詳細な説明】
【技術分野】
【０００１】
本発明は、電力と熱とを発生する熱電併給装置からの熱を温水として貯湯する貯湯装置を備えたコージェネレーションシステムに関する。
【背景技術】
【０００２】
家庭などで使用されるコージェネレーションシステムは、熱と電気とを発生する熱電併給装置（例えば、燃料電池、内燃機関と発電機との組合せなど）と、熱電併給装置からの熱を温水として貯湯する貯湯装置と、この熱電併給装置を運転制御するための制御手段とを備えている。このようなコージェネレーションシステムにおいては、熱電併給装置を運転制御するための制御手段を備え、制御手段は設定された運転スケジュールに基づいて熱電併給装置を運転制御する（例えば、特許文献１参照）。このように運転スケジュールに基づいて運転制御すると、必要な熱負荷に対応する温水量が貯湯装置に貯えられ、浴槽の湯張りなどにおいて必要な温水を供給することができ、コージェネレーションシステムを効率良く運転することができる。
【０００３】
【特許文献１】特開２００２−２１３３０３号公報
【発明の開示】
【発明が解決しようとする課題】
【０００４】
このようなコージェネレーションシステムでは、瞬間的に大量の温水を生成することができないので、過去の熱負荷（熱需要）を利用して運転スケジュールを設定している。各家庭においては、単位時間当たりの熱負荷が大きくなるのは浴槽の湯張りであり、浴槽の湯張りの有無によって一日の熱負荷量が大きく相違する。このようなことから、運転スケジュールを設定する際にも、過去の入浴の有無（浴槽の湯張りの有無）による過去の熱負荷データを利用している。
【０００５】
しかし、各家庭の生活を考えると、毎日入浴したり、１日おきに入浴したり、一週間のうち水曜日のみは入浴しなかったりし、その生活パターンは多様であるが、過去の入浴の有無による過去の熱負荷データを利用して運転当日の熱負荷を予測して運転制御しているために、熱負荷の予測をある程度正確に行うことが難しく、特に風呂の湯張りについての予測を誤ると、熱電併給装置を無駄に運転することになり、コージェネレーションシステムの運転効率が悪化する。
【０００６】
本発明の目的は、過去の特定時間帯の負荷状態と運転当日の特定時間帯の負荷状態とを利用して風呂の湯張りをある程度正確に予測することができるコージェネレーションシステムを提供することである。
【０００７】
また、本発明の他の目的は、過去の負荷状態と現在の負荷状態とを利用して風呂の湯張りをある程度正確に予測することができるコージェネレーションシステムを提供することである。
【課題を解決するための手段】
【０００８】
本発明の請求項１記載のコージェネレーションシステムは、電力と熱を発生する熱電併給装置と、前記熱電併給装置からの熱を温水として貯湯するための貯湯装置と、前記熱電併給装置を運転制御するための制御手段と、を備えたコージェネレーションシステムであって、
前記制御手段は、運転当日の風呂湯張りの有無を判定するための予測湯張り判定手段を有し、前記予測湯張り判定手段は、過去の特定時間帯の負荷状態と風呂湯張りの有無との関係に基づいて負荷状態に対応した湯張り有無確率を演算するための湯張り確率演算手段と、運転当日の特定時間帯の負荷状態に対応する、過去の特定時間帯の負荷状態における前記湯張り有無確率に基づいて、運転当日の湯張りの有無を予測判定する予測判定手段と、を含んでいることを特徴とする。
【０００９】
また、本発明の請求項２に記載のコージェネレーションシステムでは、前記湯張り確率演算手段は、過去の一日の複数の特定時間帯の負荷状態と風呂湯張りの有無との関係に基づいて、前記複数の特定時間帯の負荷状態に対応した湯張り有無確率を演算し、前記予測判定手段は、運転当日の複数の特定時間帯の負荷状態に対応する、過去の複数の特定時間帯の負荷状態における前記湯張り有無確率に基づいて、運転当日の湯張りの有無を予測判定することを特徴とする。
【００１０】
また、本発明の請求項３に記載のコージェネレーションシステムは、電力と熱を発生する熱電併給装置と、前記熱電併給装置からの熱を温水として貯湯するための貯湯装置と、前記熱電併給装置を運転制御するための制御手段と、を備えたコージェネレーションシステムであって、
前記制御手段は、風呂湯張りの有無を判定するための予測湯張り判定手段を有し、前記予測湯張り判定手段は、過去の負荷状態に対応した湯張り有無確率を演算するための湯張り確率演算手段と、現在の負荷状態に対応する、過去の負荷状態における前記湯張り有無確率に基づいて、湯張りの有無を予測判定する予測判定手段と、を含んでいることを特徴とする。
【００１１】
また、本発明に従う請求項４に記載のコージェネレーションシステムでは、前記湯張り確率演算手段は、一日を複数に分割した複数の時間帯を利用し、過去の連続する特定数の時間帯についての負荷状態に対応した湯張り有無確率を演算し、前記予測判定手段は、直近の特定数の時間帯の負荷状態に対応する、過去の連続する特定数の時間帯についての負荷状態における前記湯張り有無確率に基づいて、続く次の時間帯における湯張りの有無を予測判定することを特徴とする。
【００１２】
また、本発明に従う請求項５に記載のコージェネレーションシステムでは、電力と熱を発生する熱電併給装置と、前記熱電併給装置からの熱を温水として貯湯するための貯湯装置と、前記熱電併給装置を運転制御するための制御手段と、を備えたコージェネレーションシステムであって、
前記制御手段は、運転当日の風呂湯張り有無の確率を演算するための湯張り確率演算手段と、運転当日の湯張り有無確率を設定するための湯張り確率設定手段とを有し、前記湯張り確率演算手段は、過去の特定時間帯の負荷状態と風呂湯張りの有無との関係に基づいて負荷状態に対応した湯張り有無確率を演算し、前記湯張り確率設定手段は、運転当日の特定時間帯の負荷状態に対応する、過去の特定時間帯の負荷状態における前記湯張り有無確率を運転当日の湯張り有無確率として設定することを特徴とする。
【００１３】
また、本発明に従う請求項６に記載のコージェネレーションシステムでは、電力と熱を発生する熱電併給装置と、前記熱電併給装置からの熱を温水として貯湯するための貯湯装置と、前記熱電併給装置を運転制御するための制御手段と、を備えたコージェネレーションシステムであって、
前記制御手段は、風呂湯張りの有無の確率を演算するための湯張り確率演算手段と、運転湯張り有無確率を設定するための湯張り確率設定手段とを有し、前記湯張り確率演算手段は、一日を複数に分割した複数の時間帯を利用し、過去の連続する特定数の時間帯についての負荷状態に対応した湯張り有無確率を演算し、前記湯張り確率設定手段は、直近の特定数の時間帯の負荷状態に対応する、過去の連続する特定数の時間帯についての負荷状態における前記湯張り有無確率を前記運転湯張り有無確率として設定することを特徴とする。
【発明の効果】
【００１４】
本発明の請求項１に記載のコージェネレーションシステムによれば、過去の特定時間帯（例えば、７時〜９時の時間帯）の負荷状態が計測され、この負荷状態とその日の風呂湯張りの有無に関するデータが利用され、これらデータによって、特定時間帯の負荷状態に対応した湯張り有無確率が演算される。また、運転当日の特定時間帯（例えば、７時〜９時）の負荷状態が計測され、この負荷状態に対応する過去の負荷状態における湯張り有無確率が湯張り有無を判定する際に用いられ、予測判定手段は、この湯張り有無確率が所定確率値（例えば５０％）以上のときには湯張り有りと判定し、この湯張り有無確率が所定確率値より小さいと湯張り無しと判定する。このように湯張りの有無が判定されると、この予測判定手段の判定結果に基づいて例えば運転スケジュールが設定され、設定される運転スケジュールは、過去の負荷状態と当日の負荷状態を考慮したもの、換言すると、過去の生活状態と運転当日の生活状態の類似性を考慮したものとなり、その結果、運転当日の湯張りの有無をある程度正確に予測することが可能となり、コージェネレーションの無駄な運転を少なくすることができる。尚、湯張り有無確率とは湯張りをする確率及び湯張りをしない確率の双方を含み、これら確率のいずれか一方を用いるようになる。また、特定時間帯の負荷状態とは、電気負荷状態又は熱負荷状態を用いるようにしてもよく、或いは電気負荷状態と熱負荷状態の双方を用いるようにしてもよい。
【００１５】
また、本発明の請求項２に記載のコージェネレーションシステムによれば、一日の複数の特定時間帯（例えば、７時〜９時と１２時〜１４時の二つの特定時間帯）の負荷状態とその日の湯張りの有無についてのデータが利用され、これらデータによって、複数の特定時間帯の負荷状態に対応した湯張り有無確率が演算される。また、運転当日の複数の特定時間帯（例えば、７時〜９時と１２時〜１４時）の負荷状態が計測され、これら負荷状態に対応する過去の負荷状態における湯張り有無確率が湯張り有無を判定する際に用いられる。このように一日の複数の特定時間帯の負荷状態を利用して湯張りの有無を予測するので、湯張りの有無をより正確に予測することができる。
【００１６】
また、本発明の請求項３に記載のコージェネレーションシステムによれば、負荷状態とこの負荷状態における風呂湯張りの有無に関するデータが利用され、これらデータによって、負荷状態に対応した湯張り有無確率が演算される。また、現在の負荷状態が計測され、この負荷状態に対応する過去の負荷状態における湯張り有無確率が湯張り有無を判定する際に用いられ、予測判定手段は、この湯張り有無確率が所定確率値（例えば５０％）以上のときには湯張り有りと判定し、この湯張り有無確率が所定確率値より小さいと湯張り無しと判定する。このように湯張りの有無が判定されると、この判定結果に基づいて例えば運転スケジュールが設定され、設定される運転スケジュールは、過去の負荷状態と現在の負荷状態を考慮したもの、換言すると、過去の生活状態と現在の生活状態の類似性を考慮したものとなり、その結果、今後発生する湯張りの有無をある程度正確に予測することが可能となり、コージェネレーションの無駄な運転を少なくすることができる。尚、この場合にも、負荷状態として電力負荷状態又は熱負荷状態を用いるようにしてもよく、或いは電力負荷状態と熱負荷状態の双方を用いるようにしてもよい。
【００１７】
また、本発明の請求項４に記載のコージェネレーションシステムによれば、過去の連続する特定数の時間帯についての負荷状態に対応した湯張り有無確率が演算され、現在の負荷状態として直近の特定数の負荷状態が用いられ、この直近の特定数の負荷状態に対応する過去の連続する負荷状態における湯張り有無確率が湯張り有無を判定する際に用いられる。このように連続する特定数の時間帯の負荷状態を利用してそれに続く次の時間帯における湯張りの有無を予測するので、湯張りの有無をより正確に予測することができる。
【００１８】
また、本発明の請求項５に記載のコージェネレーションシステムによれば、過去の特定時間帯の負荷状態とその日の風呂湯張りの有無に関するデータによって湯張り有無確率が演算され、運転当日の特定時間帯の負荷状態に対応する過去の負荷状態における湯張り有無確率が設定される。このように湯張り有無確率が設定されると、設定された湯張り有無確率に基づいて例えば運転スケジュールが設定され、この運転スケジュールに沿って熱電併給装置を運転することによって、湯張りのための貯湯量が大きく外れることはなく、将来の湯張りを考慮しながらコージェネレーションシステムを効率良く運転することができる。
【００１９】
また、本発明の請求項６に記載のコージェネレーションシステムでは、過去の連続する特定数の時間帯についての負荷状態とこれら負荷状態における風呂湯張りの有無に関するデータによって湯張り有無確率が演算され、直近の連続する特定数の時間帯についての負荷状態に対応する過去の連続する特定数の時間帯についての負荷状態における湯張り有無確率が運転湯張り有無確率として設定される。このように運転湯張り有無確率が設定されると設定された運転湯張り有無確率に基づいて例えば運転スケジュールが設定され、このようにしても湯張りのための貯湯量が大きく外れることはなく、将来の湯張りを考慮しながらコージェネレーションシステムを効率良く運転することができる。
【発明を実施するための最良の形態】
【００２０】
以下、添付図面を参照して、本発明に従うコージェネレーションシステムの実施形態について説明する。まず、図１〜図４を参照して、本発明に従うコージェネレーションシステムの一実施形態について説明する。図１は、一実施形態のコージェネレーションシステムの全体を簡略的に示すシステム図であり、図２は、図１のコージェネレーションシステムの制御系を簡略的に示すブロック図であり、図３は、過去の電力負荷状態及び熱負荷状態と湯張りの有無のデータの一例を示す図であり、図４は、過去の電力負荷状態及び熱負荷状態と湯張り有無確率を示す図であり、図５は、図２の制御系による運転スケジュールの設定の流れを示すフローチャートである。
【００２１】
図１において、図示のコージェネレーションシステムは、家庭用のシステムに適用されており、電力と熱とを発生する熱電併給装置２と、熱電併給装置２にて発生した熱を回収して温水として貯えるための貯湯装置３とを備え、貯湯装置３は温水を貯える貯湯タンク４を有している。この形態では、熱電併給装置２は燃料電池６から構成され、燃料電池６にて発生する熱が後述する如くして貯湯装置３に貯えられる。尚、熱電併給装置２として、内燃機関（例えばガスエンジン、ディーゼルエンジンから構成される）及び内燃機関により駆動される発電装置の組合せから構成するようにしてもよい。
【００２２】
燃料電池６の出力側には系統連系用のインバータ１０が設けられ、このインバータ１０は燃料電池６の出力電力を商業系統１２から供給される電力と同じ電圧及び周波数にする。商用系統１２は電力供給ライン１４を介して各家庭の電力負荷１６（例えば、テレビ、冷蔵庫、洗濯機、照明装置など）に接続され、インバータ１０はコージェネ用供給ライン１８を介して電力供給ライン１４に電気的に接続され、燃料電池６からの発電電力がインバータ１０及びコージェネ用供給ライン１８を介して電力負荷１６に供給される。
【００２３】
貯湯装置３の貯湯タンク４には温水（又は水）を循環する温水循環流路２０が設けられ、その一端側が貯湯タンク４の底部に接続され、その他端側が貯湯タンク４の上端部に接続されている。この温水循環流路２０には、熱交換器２１及び温水循環ポンプ２２が配設されている。従って、温水循環ポンプ２２が作動すると、貯湯タンク４の底部の温水が温水循環流路２０を通して流れ、熱交換器２１にて後述する如く熱交換された後その上端部に流れ、このようにして貯湯タンク４内に温水が貯湯される。
【００２４】
この貯湯タンク４の底部には、更に、水（例えば水道水）を供給するための給水流路２６が接続され、その上端部には、温水を出湯するための温水出湯流路２８が接続され、この温水出湯流路２８には１又は２個以上のカラン（図示せず）が接続される。従って、カランを開栓すると、貯湯タンク４内の温水が温水出湯流路２８を通して給湯される。
【００２５】
熱電併給装置２は、更に、燃料電池６の冷却水を循環する冷却水循環流路３０を含み、この冷却水循環流路３０が、温水循環流路２０に配設された熱交換器２１に接続されている。従って、熱交換器２１において、冷却水循環流路３０を流れる冷却水と温水循環流路２０を流れる温水との間で熱交換が行われ、温水循環流路２０を流れる温水（又は水）が加熱され、このようにして熱電併給装置２にて発生した熱が温水として貯湯タンク４に貯えられる。尚、冷却水循環流路３０には、冷却水を循環するための冷却水循環ポンプ３２が配設されている。
【００２６】
図２をも参照して、このコージェネレーションシステムは、例えばマイクロプロセッサから構成される制御手段３４によって作動制御される。図示の制御手段３４は、作動制御手段３６、湯張り判定手段３８、湯張り登録手段４０、負荷状態判定手段４２、予測湯張り判定手段４４及び運転スケジュール設定手段４６を含んでいる。作動制御手段３６はコージェネレーションシステムの各種構成要素、例えば熱電併給装置２、インバータ１０、温水循環ポンプ２２及び冷却水循環ポンプ３２などを作動制御する。湯張り判定手段３８は、運転当日に浴槽の湯張りが行われたか否かを判定する。この実施形態では、温水出湯流路２８に給湯熱負荷計測手段４８が配設されている。この給湯熱負荷計測手段４８は、温水出湯流路２８を流れる温水の温度を検出する温度センサと、温水出湯流路２８を流れる温水の流量を検出する流量センサとから構成され、温度センサの検出温度及び流量センサの検出流量に基づいて給湯熱負荷を計測し、湯張り判定手段３８は、この給湯熱負荷計測手段４６の検知給湯熱負荷に基づき、所定設定時間に湯張り熱量以上の熱負荷があると湯張り有りと判定する。
【００２７】
また、負荷状態判定手段４２は、電力負荷１６で消費される電力負荷状態及び風呂湯張りなどで消費される熱負荷状態を判定する。この実施形態では、一日のうちの特定時間帯、例えば７時〜９時の時間帯において消費される電力量及び熱量とその日の入浴の有無（換言すると、湯張りの有無）とに着目し、熱負荷状態については、給湯熱負荷計測手段４６の検知給湯熱量が用いられ、負荷状態判定手段４２は、検知給湯熱量が大きいときには熱負荷状態が「大」と判定し、検知給湯熱量が小さいときには熱負荷状態が「小」と判定する。また、電力供給ライン１４には電力負荷計測手段５０が配設され、この電力負荷計測手段５０は電力負荷１６で消費される電力量を計測する。電力量については、この電力負荷計測手段５０の検知電力量が用いられ、負荷状態判定手段４２は、検知電力量が大きいときには電力負荷状態が「大」と判定し、検知電力量が小さいときには電力負荷状態が「小」と判定する。尚、この実施形態では、電力負荷状態及び熱負荷状態を「大」及び「小」の二段階に判定しているが、これに限定されず、例えば、「大」、「中」及び「小」と三段階に判定するようにしてもよく、或いは４段階以上に判定するようにしてもよい。
【００２８】
制御手段３４は各種データを登録するためのメモリ手段４８と、時刻を計時する計時手段５２を含んでおり、湯張り登録手段４０は、一日の特定時間帯における電力負荷状態及び熱負荷状態とその特定時間帯を含む日の湯張りの有無とに関するデータをメモリ手段４８に登録し、これらデータは湯張り履歴データ５１として登録される。湯張り履歴データ５１は、例えば図３に示すようなデータとなり、この実施形態では１００日前までのデータが登録されるように構成されている。例えば、特定時間帯における電力負荷状態が大きく、且つ熱負荷状態が大きく、その日を通して風呂の湯張りが行われなかったときには、計時手段５２がその日の終了を計時した時点で、湯張り登録手段４０は、電力負荷状態「大」、熱負荷状態「大」、湯張り「×」のデータを湯張り履歴データとして登録し（図３の１日前の欄を参照）、このデータを新たに登録した時点で最も古いデータ（１００日前のデータ）が削除される。図３において、「大」は特定時間帯の負荷状態が大きいことを示し、「小」は特定時間帯の負荷状態が小さいことを示し、「○」はその日に風呂湯張りが行われたことを示し、「×」はその日に風呂湯張りが行われなかったことを示す。尚、この実施形態では、湯張り履歴データ５１に登録するデータ数を１００に構成している（換言すると、１００日前までのデータを登録する）が、これに限定されず、この登録するデータ数を５０、２００などの適宜の数に設定することができる。
【００２９】
図示の予測湯張り判定手段４４は、湯張り情報読出し手段５４、湯張り情報選択手段５６、湯張り確率演算手段５８及び予測判定手段６０を含んでいる。湯張り情報読出し手段５４はメモリ手段４８の湯張り履歴データ５１に登録されている履歴データを読み出し、湯張り情報選択手段５６は読み出した履歴データを選択する。例えば、特定時間帯の電力負荷状態及び熱負荷状態について「大」及び「小」の二段階の負荷状態があるので、この湯張り情報選択手段５６は、図４に示すように、電力負荷状態「大」且つ熱負荷状態「大」の履歴データ、電力負荷状態「大」且つ熱負荷状態「小」の履歴データ、電力負荷状態「小」且つ熱負荷状態「大」の履歴データ、及び電力負荷状態「小」且つ熱負荷状態「小」の履歴データを選択する。また、湯張り確率演算手段５８は、湯張り情報選択手段５６により選択された履歴データに基づいて湯張り有無確率を演算する。例えば、電力負荷状態「小」且つ熱負荷状態「小」の履歴データが５個存在し、これら５個の履歴データの全てにおいて湯張りが行われていなかった（５個とも湯張り「×」である）場合、湯張り確率演算手段５８は湯張り有無確率（この場合、湯張り有り確率）０％と演算する。また、例えば、電力負荷状態「小」且つ熱負荷状態「大」の履歴データが１０個存在し、これら１０個の履歴データの一つにおいて湯張りが行われていた場合、湯張り確率演算手段５８は湯張り有無確率１０％と演算する。このようにして湯張り確率演算手段５８は、図４に示すように、電気負荷状態及び熱負荷状態の全組合せについて、湯張り有無確率（この場合、湯張り有り確率）を演算する。
【００３０】
予測判定手段６０は、風呂湯張りが発生するかを予測判定し、例えば湯張りが発生すると判定するしきい値が例えば５０％と設定された場合、湯張り確率演算手段５８により演算された湯張り有無確率が５０％以上であると、予測判定手段６０は風呂湯張りの発生する可能性が大きいとして湯張り有りの判定を行い、一方この湯張り有無確率が５０％未満であると、予測判定手段６０は風呂湯張りの発生する可能性が小さいとして湯張り無しの判定を行う。この予測判定の際には、運転当日の特定時間帯の電力負荷状態及び熱負荷状態が計測され、この特定時間帯の電力負荷状態及び熱負荷状に対応する過去の電力負荷状態及び熱負荷状態における湯張り有無確率が用いられる。尚、このしきい値は、メモリ手段４８に登録される。
【００３１】
このように風呂湯張りの有無判定が行われると、運転スケジュール設定手段４６は、特定時間帯後にその湯張り有無の判定結果に基づいて運転スケジュールを設定し、この設定された運転スケジュールで熱電併給装置２が運転制御されることになる。この運転スケジュール設定手段４６によって設定される運転スケジュールは、例えば、運転時刻とその時刻における発電電力とを関連付けた発電電力のタイムテーブルであり、このようなタイムテーブルに代えて、運転当日の特定時間までに貯めるべき熱量のみを定め、予め発電出力を定めないようなものでもよい。
【００３２】
次に、主として、図２及び図５を参照して、上述したコージェネレーションシステムの運転制御について説明する。このコージェネレーションシステムの運転中においては、運転当日の特定時間帯、例えば７時〜９時の時間帯内であるかが判断され、この特定時間帯内であると、ステップＳ１からステップＳ２に進み、この特定時間帯の電力負荷１６での消費電力量が電力負荷計測手段５０により計測され、またこの特定時間帯の給湯による消費熱量が給湯熱負荷計測手段４８により計測され（ステップＳ３）、このようにして運転当日の特定時間帯における電力負荷状態及び熱負荷状態が計測される。
【００３３】
このような電力負荷状態及び熱負荷状態の計測は特定時間が経過するまで行われ、この特定時間が経過すると、次に、この負荷状態に対応する過去の負荷状態における風呂湯張りの有無の確率が演算される。即ち、ステップＳ４からステップＳ５に進み、湯張り情報読出し手段５４はメモリ手段４８の湯張り履歴データ５１に登録されている湯張り履歴を読み出し、湯張り情報選択手段５６は、図４に示すように、電力負荷状態及び熱負荷状態の各組合せについての湯張り有無のデータを選択し、湯張り確率演算手段５８は、図４に示すように、電力負荷状態及び熱負荷状態の各組合せについての湯張り有無確率を算出する（ステップＳ６）。そして、予測判定手段６０は、運転当日の特定時間帯の電力負荷状態及び熱負荷状態に対応する過去の電力負荷状態及び熱負荷状態における湯張り有無確率に基づいて運転当日の湯張り有無の予測判定を行う（ステップＳ７）。
【００３４】
例えば、運転当日の特定時間帯における電力負荷状態が「大」で、熱負荷状態が「小」であると、予測判定手段６０は図４における特定時間帯の電力負荷状態が「大」で、熱負荷状態が「小」である湯張り有無確率値に基づいて湯張りの有無を判定し、この例のように湯張り有無確率が８０％であると、湯張りしきい値（例えば、５０％）を超えているので湯張りが行われる可能性が大きいとして湯張り有りと判定する。
【００３５】
このように湯張り有無の判定が行われると、運転スケジュール設定手段４６はこの湯張り有無の判定結果に基づいて運転スケジュールを設定する（ステップＳ８）。即ち、湯張り有りの判定が行われると、湯張りに相当する熱負荷が発生することを前提として、必要な熱量が貯湯装置３に温水として貯湯されるように、熱電併給装置２を所要の通りに運転制御し、また湯張り無しの判定が行われると、湯張りに相当する熱負荷が発生しないことを前提として貯湯を行うように、熱電併給装置２を所要の通りに運転制御する。
【００３６】
運転スケジュール設定手段４６により設定された運転スケジュールに従って熱電併給装置２の運転当日の運転制御が終了すると、ステップＳ９からステップＳ１０に進み、湯張り判定手段３８はこの運転当日に風呂張りが実際に行われたかを判定し、湯張り登録手段４０は、運転当日の特定時間帯における電力負荷状態及び熱負荷状態とともに、実際の湯張りの有無結果をメモリ手段４８に登録する。その後、ステップＳ１に戻り、上述した運転制御が毎日繰り返し遂行される。
【００３７】
上述した実施形態では、一日における一つの特定時間帯（例えば、７時〜９時の時間帯）における電力負荷状態及び熱負荷状態を利用しているが、これに限定されず、一日における複数の特定時間帯、例えば二つの特定時間帯（例えば、７時〜９時の時間帯と１２時〜１４時の時間帯）における電力負荷状態及び熱負荷状態を利用するようにしてもよい。図６は、二つの特定時間帯における電力負荷状態及び熱負荷状態と湯張りの有無のデータの一例を示す図であり、図７は、過去の電力負荷状態及び熱負荷状態と湯張り有無確率を示す図である。
【００３８】
このように二つの特定時間帯における負荷状態を用いる場合、コージェネレーションシステムの基本的構成は、上述した構成と同様でよく、その湯張りの予測判定は、例えば次のように行われる。即ち、負荷状態判定手段４２は、一日のうちの第１特定時間帯（例えば７時〜９時の時間帯）において消費される電力量及び熱量、並びにその第２特定時間帯（例えば、１２時〜１４時）において消費される電力量及び熱量と、その日の入浴の有無（換言すると、湯張りの有無）とに着目し、第１及び第２特定時間帯の電力負荷状態について上述したと同様にして負荷状態を判定するとともに、熱負荷量についても上述したと同様にして負荷状態を判定する。また、湯張り登録手段４０は、一日の第１及び第２特定時間帯における電力負荷状態及び熱負荷状態と第１及び第２特定時間帯を含む日の湯張りの有無とに関するデータをメモリ手段４８の湯張り履歴データ５１に登録する。この場合の湯張り履歴データ５１は、例えば図６に示すようなデータとなり、この例では２００日前までのデータが登録されるように構成されている。例えば、第１特定時間帯における電力負荷状態が小さく、且つ熱負荷状態が小さく、また第２特定時間帯における電力負荷状態が大きく、且つ熱負荷状態が大きく、その日に風呂の湯張りが行われたときには、計時手段５２がその日の終了を計時した時点で、図６の１日前の欄に示されているように、湯張り登録手段４０は、第１特定時間帯の電力負荷状態「小」、熱負荷状態「小」、第２特定時間帯の電力負荷状態「大」、熱負荷状態「大」、また湯張り「○」のデータを湯張り履歴データとして登録する。
【００３９】
また、第１及び第２特定時間帯の電力負荷状態及び熱負荷状態についてそれぞれ「大」及び「小」の二段階の負荷状態があるので、この湯張り情報選択手段５６は、図７に示すように、第１特定時間帯の電力負荷状態の「大」及び「小」、第１特定時間帯の熱負荷状態の「大」及び「小」、第２特定時間帯の電力負荷状態の「大」及び「小」、並びに第２特定時間帯の熱負荷状態の「大」及び「小」についての全組合せについて湯張り履歴データを順次選択し、湯張り確率演算手段５８は、湯張り情報選択手段５６により選択された履歴データに基づいて上述したと同様にして湯張り有無確率を演算し、このようにして演算された湯張り有無確率は、例えば図７に示すようになる。
【００４０】
更に、予測判定手段６０は、次のようにして湯張り有無の予測判定を行う。即ち、運転当日の第１及び第２特定時間帯の電力負荷状態及び熱負荷状態が計測され、またこの第１及び第２特定時間帯の電力負荷状態及び熱負荷状態に対応する過去の電力負荷状態及び熱負荷状態における湯張り有無確率が用いられ、この湯張り有無確率に基づいて上述したと同様にして湯張り有無の予測判定が行われる。
【００４１】
例えば、運転当日の第１特定時間帯における電力負荷状態が「大」で、熱負荷状態が「大」であり、また運転当日の第２特定時間帯における電力負荷状態が「大」で、熱負荷状態が「大」であると、予測判定手段６０は、図７における第１特定時間帯の電力負荷状態が「大」で、熱負荷状態が「小」で、更に第２特定時間帯の電力負荷状態が「大」で、熱負荷状態が「大」である湯張り有無確率値に基づいて湯張りの有無を予測判定し、この例のように湯張り有無確率が８０％であると、湯張りしきい値（例えば、５０％）を超えているので湯張りが行われる可能性が大きいとして湯張り有りと判定する。この場合におけるその他の構成及び運転制御などについては、上述した実施形態の内容と実質上同一である。
【００４２】
上述した実施形態では、一日における特定時間帯における電力負荷状態及び熱負荷状態を利用しているが、このような一日における特定時間帯を用いることなく、過去の電力負荷状態及び熱負荷状態と現在の電力負荷状態及び熱負荷状態を用いて湯張り有無の予測判定を行うようにしてもよい。図８は、電力負荷状態及び熱負荷状態を計測する時間帯を説明するための図であり、図９は、過去の電力負荷状態及び熱負荷状態と湯張り有無確率を示す図であり、図１０は、図８の時間帯の概念を用いたときの運転スケジュールの設定の流れを示すフローチャートである。
【００４３】
この場合においても、コージェネレーションシステムの基本的構成は、上述した構成と同様でよい。そして、特定時間帯というものを設定することに代えて、一日を複数の時間帯に、この実施形態においては３つの時間帯に分割し、過去の電力負荷状態及び熱負荷状態と現在の電気負荷状態及び熱負荷状態とを用いて湯張りの予測判定を行うようになっている。
【００４４】
図８及び図９を参照して、この実施形態では、一日が３つの時間帯に、例えば、０時〜８時の時間帯と、９〜１６時の時間帯と、１７時〜２４時の時間帯の３つの時間帯に分割され、連続する特定数（この形態では、２つ）の時間帯についての電力負荷状態及び熱負荷状態と湯張り有無との関係が湯張り履歴データ５０に登録される。
【００４５】
過去の連続する２つの時間帯（一例として、図８（ａ）の第１時間帯（ある日の０時〜８時の時間帯）と第２時間帯（ある日の９時〜１６時の時間帯）、図８（ｂ）の第２時間帯と第３時間帯（ある日の１６時〜２４時の時間帯）、図８（ｃ）の第３時間帯と第４時間帯（ある日の翌日の０時〜８時の時間帯）・・・）において消費される電力量及び熱量と、連続する２つの時間帯に続く次の時間帯（例えば、第３時間帯、第４時間帯、第５時間帯・・・）の入浴の有無（換言すると、湯張りの有無）とに着目しており、負荷状態判定手段４２は、連続する２つの時間帯、例えば第１及び第２時間帯の電力負荷状態及び熱負荷状態について上述したと同様にして負荷状態を判定する。また、湯張り登録手段４０は、連続する２つの時間帯、例えば先の時間帯としての第１時間帯及び後の時間帯としての第２時間帯における電力負荷状態及び熱負荷状態と、連続するこれら２つの時間帯に続く次の時間帯、例えば第３時間帯における湯張りの有無とに関するデータをメモリ手段４８の湯張り履歴データ５１に登録する。例えば、先の時間帯（例えば、第１時間帯）における電力負荷状態が大きく、且つ熱負荷状態が大きく、また後の時間帯（例えば、第２時間帯）における電力負荷状態が大きく、且つ熱負荷状態が大きいときには、連続する２つの時間帯の負荷状態は、図９の最上段に示す通りの負荷状態となり、このような負荷状態のデータに次の時間帯における湯張りの有無データを加えたものが湯張り履歴データとなり、湯張り登録手段４０は、このような履歴データをメモリ手段４８の湯張り履歴データ５０に登録する。
【００４６】
また、先の時間帯及び後の時間帯の電力負荷状態及び熱負荷状態についてそれぞれ「大」及び「小」の二段階の負荷状態があるので、湯張り情報選択手段５６は、図９に示すように、先の時間帯の電力負荷状態の「大」及び「小」、先の時間帯の熱負荷状態の「大」及び「小」、後の時間帯の電力負荷状態の「大」及び「小」、並びに後の時間帯の熱負荷状態の「大」及び「小」についての全組合せについて湯張り履歴データを順次選択し、湯張り確率演算手段５８は、湯張り情報選択手段５６により選択された履歴データに基づいて上述したと同様にして湯張り有無確率を演算し、このようにして演算された湯張り有無確率は、例えば図９に示すようになる。
【００４７】
更に、予測判定手段６０は、次のようにして湯張り有無の予測判定を行う。即ち、現在の電力負荷状態及び熱負荷状態として直近の連続する２つの時間帯（例えば、第１及び第２時間帯）の電力負荷状態及び熱負荷状態が用いられ、またこの連続する２つの時間帯の電力負荷状態及び熱負荷状態に対応する過去の電力負荷状態及び熱負荷状態における湯張り有無確率が用いられ、この湯張り有無確率に基づいて上述したと同様にして、後の時間帯に続く次の時間帯（例えば、第３時間帯）の湯張り有無の予測判定が行われる。
【００４８】
例えば、現在の電力負荷状態及び熱負荷状態としての先の時間帯（例えば、第１時間帯）における電力負荷状態が「大」で、熱負荷状態が「大」であり、また後の時間帯（例えば、第２時間帯）における電力負荷状態が「大」で、熱負荷状態が「大」であると、予測判定手段６０は、図９における第１時間帯の電力負荷状態が「大」で、熱負荷状態が「小」で、更に第２時間帯の電力負荷状態が「大」で、熱負荷状態が「大」である湯張り有無確率値に基づいて湯張りの有無を予測判定し、この例のように湯張り有無確率が０％であると、次の時間帯において湯張りが行われる可能性がほとんどなく、湯張り無しと判定する。
【００４９】
次に、この実施形態における運転スケジュールの設定は、次のようにして行われる。図１０において、この場合には所定時間帯を経過する毎に運転スケジュールの設定が行われ、所定時間帯（例えば、第２時間帯）内であるときには、ステップＳ２１からステップＳ２２に進み、現在の電力負荷状態の計測が行われ、また現在の熱負荷状態の計測が行われる（ステップＳ２３）。
【００５０】
そして、この所定時間帯が経過すると、上述したと同様に、過去の湯張り情報、即ちメモリ手段４８に登録された湯張り履歴データ５０の読み出しが行われ（ステップＳ２５）、過去の電力負荷状態及び熱負荷状態における湯張りの有無に関する情報の選択が行われ、各電力負荷状態及び熱負荷状態における湯張り有無確率の演算が行われ（ステップＳ２６）、このように演算された湯張り有無確率（この形態では、湯張り有り確率）の値は、過去の連続する２つの時間帯における電力負荷状態及び熱負荷状態との関係で例えば図９に示す通りとなる。そして、予測判定手段６０は、現在の時間帯（直近の連続する２つの時間帯）の電力負荷状態及び熱負荷状態に対応する過去の電力負荷状態及び熱負荷状態における湯張り有無確率に基づいて直近の時間帯に続く次の時間帯（例えば、第３時間帯）の湯張り有無の予測判定を上述したと同様にして行う（ステップＳ２７）。
【００５１】
このように湯張り有無の判定が行われると、運転スケジュール設定手段４６はこの湯張り有無の判定結果に基づいて、直近の２つの時間帯に続く次の時間帯（例えば、第３時間帯）の運転スケジュールを設定する（ステップＳ２８）。即ち、湯張り有りの判定が行われると、湯張りに相当する熱負荷が発生することを前提として、必要な熱量が貯湯装置３に温水として貯湯されるように、熱電併給装置２を運転制御し、また湯張り無しの判定が行われると、湯張りに相当する熱負荷が発生しないことを前提にして貯湯を行うように、熱電併給装置２を運転制御する。
【００５２】
設定された運転スケジュールに従って熱電併給装置２の次の時間帯（例えば、第３時間帯）の運転制御が終了すると、ステップＳ２９からステップＳ３０に進み、湯張り判定手段３８はこの次の時間帯（例えば、第３時間帯）に風呂湯張りが実際に行われたかを判定し、湯張り登録手段４０は、この時間帯（例えば、第３時間帯）における電力負荷状態及び熱負荷状態と、この時間帯の前の時間帯（例えば、第２時間帯）における電力負荷状態及び熱負荷状態とともに、実際の湯張りの有無結果をメモリ手段４８に登録する（ステップＳ３１）。その後、ステップＳ２１に戻り、上述した運転制御が所定時間帯を経過する毎に繰り返し遂行される。
【００５３】
以上、本発明に従うコージェネレーションシステムの実施形態について説明したが、本発明はかかる実施形態に限定されるものではなく、本発明の範囲を逸脱することなく種々の変形乃至修正が可能である。
【００５４】
例えば、上述した実施形態では、湯張り確率演算手段５８によって湯張り有無確率を演算する際に、湯張り有り確率を演算し、この湯張り有り確率に基づいて予測判定手段６０によって湯張り有無の判定を行っているが、これとは反対に、湯張り確率演算手段５８によって湯張り有無確率として湯張り無し確率を演算し、この湯張り無し確率に基づいて予測判定手段６０によって湯張り有無の判定を行うようにしてもよい。
【００５５】
また、例えば、上述した実施形態では、湯張り確率演算手段５８により演算された湯張り有無確率に基づいて湯張りの有無の判定をし、湯張り有りの判定したときには湯張りが行われる可能性が高く、風呂湯張りに必要な熱量が熱電併給装置２の運転によって生成されるような運転スケジュールを設定し、湯張り無しの判定をしたときには湯張りが行われる可能性が少なく、風呂湯張りに必要な熱量が熱電併給装置２の運転によって生成されないような運転スケジュールを設定するように構成しているが、このような構成に代えて、湯張り確率演算手段５８により演算された湯張り有無確率に対応する割合でもって風呂湯張りに必要な熱量を貯えるようにしてもよい。例えば、湯張り確率演算手段５８による湯張り有無確率（例えば、湯張り有り確率）が６０％である場合、風呂湯張りに必要な熱量の６０％の熱量が貯湯装置３に貯えられるように、運転スケジュールを設定するようにしてもよく、或いはこの湯張り湯無確率に対応した所定割合の熱量が貯えられるようにしてもよい。
【図面の簡単な説明】
【００５６】
【図１】一実施形態のコージェネレーションシステムの全体を簡略的に示すシステム図。
【図２】図１のコージェネレーションシステムの制御系を簡略的に示すブロック図。
【図３】過去の電力負荷状態及び熱負荷状態と湯張り有無のデータの一例を示す図。
【図４】過去の電力負荷状態及び熱負荷状態と湯張り有無確率を示す図。
【図５】図２の制御系による運転スケジュールの設定の流れを示すフローチャート。
【図６】二つの特定時間帯における電力負荷状態及び熱負荷状態と湯張りの有無のデータの一例を示す図。
【図７】過去の電力負荷状態及び熱負荷状態と湯張り有無確率を示す図。
【図８】電力負荷状態及び熱負荷状態を計測する時間帯を説明するための図。
【図９】過去の電力負荷状態及び熱負荷状態と湯張り有無確率を示す図。
【図１０】図８の時間帯の概念を用いたときの運転スケジュールの設定の流れを示すフローチャート。
【符号の説明】
【００５７】
２  熱電併給装置
４  貯湯タンク
６  燃料電池
１０  インバータ
１２  商用系統
１６  電力負荷
３４  制御手段
３８  湯張り判定手段
４２  負荷状態判定手段
４４  予測湯張り判定手段
４６  運転スケジュール設定手段
４８  給湯熱負荷計測手段
５０  電力負荷計測手段
５１  湯張り履歴データ
５８  湯張り確率演算手段
６０  予測判定手段
【図１】
2006322679.tif 000003
【図２】
2006322679.tif 000004
【図３】
2006322679.tif 000005
【図４】
2006322679.tif 000006
【図５】
2006322679.tif 000007
【図６】
2006322679.tif 000008
【図７】
2006322679.tif 000009
【図８】
2006322679.tif 000010
【図９】
2006322679.tif 000011
【図１０】
2006322679.tif 000012